(57)【要約】【課題】地震が発生したときの大きな揺れにて引出が飛び出そうとすることを防止すると共に、その構造を極めて簡単にした引出用耐震ラッチとすること。【解決手段】  ケーシングＡ１と該ケーシングＡ１に揺動自在に枢支連結されたフック部材３と、該フック部材３の係止部３ｃ箇所を突出させる転動部材６と、前記フック部材３を常時引込み状態に保持する保持部材５とからなるラッチ体Aと、前記フック部材３の係止部３ｃが係止する被係止部９が形成されたストッパ体Ｂとからなること。前記ケーシングＡ１内には前記転動部材６が衝撃にて移動する案内路面部１ａが形成されること。【選択図】      図１
2007105405.tif 000002
【特許請求の範囲】
【請求項１】
ケーシングと該ケーシングに揺動自在に枢支連結されたフック部材と、該フック部材の係止部箇所を突出させる転動部材と、前記フック部材を常時引込み状態に保持する保持部材とからなるラッチ体と、前記フック部材の係止部が係止する被係止部が形成されたストッパ体とからなり、前記ケーシング内には前記転動部材が衝撃にて移動する案内路面部が形成されてなることを特徴とする引出用耐震ラッチ。
【請求項２】
請求項１において、前記案内路面部は、前記転動部材が前記フック部材を引込み状態にさせる方向に向かって下り傾斜としてなることを特徴とする引出用耐震ラッチ。
【請求項３】
請求項２において、前記案内路面部はケーシングの上下方向両側に線対称となるように形成されてなることを特徴とする引出用耐震ラッチ。
【請求項４】
請求項１，２又は３において、前記フック部材が揺動範囲を規制する規制部が形成されてなることを特徴とする引出用耐震ラッチ。
【請求項５】
請求項１，２，３又は４において、前記転動部材は球体としてなることを特徴とする引出用耐震ラッチ。
【請求項６】
請求項１において、前記保持部材は、弾性体としてなることを特徴とする引出用耐震ラッチ。
【請求項７】
請求項１において、前記ケーシングには、２つの収納部が形成され、それぞれの収納部に前記転動部材が配置されてなることを特徴とする引出用耐震ラッチ。
【請求項８】
請求項１，２，３，４，５又は６において、前記ストッパ体は、ベース部の裏面側に固定フックと前記ベース部に対して平行な面を回転自在としたロック部と該突起片をベース部表面側から作動させる操作部が具備されてなることを特徴とする引出用耐震ラッチ。
【発明の詳細な説明】
【技術分野】
【０００１】
本発明は、地震が発生したときの大きな揺れにて引出が飛び出そうとすることを防止することができると共に、その構造を極めて簡単にすることができる引出用耐震ラッチに関する。
【背景技術】
【０００２】
近年の家具では、種々の機構が装着され、引出がより一層，滑らかで引き出し易くなっているものが多い。その多くは軽く引くだけで、引出が滑り出すようにして引き出されるものである。このような引出であるがゆえに、地震が発生したときには、揺れが大きいと、引出が勢いよく飛び出してしまい、最悪の場合には家具本体から飛び抜けてしまい、収納物が飛散し、ひいては周囲にいる人々に怪我を負わせるおそれも充分にあり得るものである。
【特許文献１】特開２００３−２４１５６
【発明の開示】
【発明が解決しようとする課題】
【０００３】
上記のように、地震の発生によって、家具本体から引出が飛び出ることを防止する対策を講ずるために特許文献１等に開示された発明が存在する。この発明では、構成する部品が比較的多く、複雑な構造となっている。したがって、高価なものとなり、また、家具本体及び引出に装着することにおいては、複雑な作業となり、その装着にも極めて高い精度が要求される。本発明が解決しようとする課題（技術的課題又は目的）は、家具本体や引出に対してその装着が簡単であり、且つ装置の構造が簡単であり、このようなことに加えて地震発生時に良好に反応して確実な動作を行なえることを実現することである。
【課題を解決するための手段】
【０００４】
請求項１の発明は、ケーシングと該ケーシングに揺動自在に枢支連結されたフック部材と、該フック部材の係止部箇所を突出させる転動部材と、前記フック部材を常時引込み状態に保持する保持部材とからなるラッチ体と、前記フック部材の係止部が係止する被係止部が形成されたストッパ体とからなり、前記ケーシング内には前記転動部材が衝撃にて移動する案内路面部が形成されてなる引出用耐震ラッチとしたことにより、上記課題を解決した。
【０００５】
次に、請求項２の発明は、前述の構成において、前記案内路面部は、前記転動部材が前記フック部材を引込み状態にさせる方向に向かって下り傾斜としてなる引出用耐震ラッチとしたことにより、上記課題を解決した。請求項３の発明は、前述の構成において、前記案内路面部はケーシングの上下方向両側に線対称となるように形成されてなる引出用耐震ラッチとしたことにより、上記課題を解決した。次に、請求項４の発明は、前述の構成において、前記フック部材が揺動範囲を規制する規制部が形成されてなる引出用耐震ラッチとしたことにより、上記課題を解決した。
【０００６】
次に、請求項５の発明は、前記転動部材は球体としてなる引出用耐震ラッチとしたことにより、上記課題を解決した。請求項６の発明は、前述の構成において、前記保持部材は、弾性体としてなる引出用耐震ラッチとしたことにより、上記課題を解決した。請求項７の発明は、前述の構成において、前記ケーシングには、２つの収納部が形成され、それぞれの収納部に前記転動部材が配置されてなる引出用耐震ラッチとしたことにより、上記課題を解決した。請求項８の発明は、前述の構成において、前記ストッパ体は、ベース部の裏面側に固定フックと前記ベース部に対して平行な面を回転自在とした突起片と該突起片をベース部表面側から作動させる操作部が具備されてなる引出用耐震ラッチとしたことにより、上記課題を解決したものである。
【発明の効果】
【０００７】
請求項１の発明によって、そのラッチ体が家具本体の引出収納室の内壁に装着され、ストッパ体が引出に装着される構成とし、地震発生時による揺れで、家具本体が揺れると共に転動部材がケーシング内を移動し、ケーシング内に揺動自在に枢支連結されたフック部材に作用してこのフック部材を揺動させる。
【０００８】
そして、該フック部材の係止部が家具本体の本体側板に装着されたストッパ体の被係止部に係止することによって、家具本体から飛び出そうとする引出を留めて、その引出が家具本体から脱落することを防止できるものである。この装置の構成は極めて簡単であり、しかも、引出の家具本体からの飛び出し及び脱落を防止する動作は、確実に行なわれるものである。さらに、ラッチ体を構成する部品も極めて少なく、低価格にて提供でき、その家具本体及び引出への装着も簡単にできる。
【０００９】
次に、請求項２の発明は、前記案内路面部は、前記転動部材が前記フック部材を引込み状態にさせる方向に向かって下り傾斜としているので、引出の飛び出し防止が機能した後、再度引出が通常に使用できるようになるまでの復帰が極めて容易且つ短時間に行なわれる。次に、請求項３の発明は、前記案内路面部がケーシングの上下方向両側に線対称となるように形成されるので、ケーシングを上下方向を変えて家具本体に装着しても、転動部材が転動する路面は案内路面部となり、その装着作業時で上下方向に気づかうことなく家具本体に装着できるので作業効率を向上させることができる。
【００１０】
次に、請求項４の発明は、前記案内路面部はケーシングの上下方向両側にそれぞれ形成されることにより、ラッチ体の上下方向が限定されず、いずれ側を上方として使用することができ、家具本体への装着が簡単且つ効率的にできる。請求項５の発明は、前記転動部材を球体とすることにより、地震発生による転動部材の反応動作を極めて良好なものにできる。
【００１１】
請求項６の発明は、前記保持部材は、弾性体とすることで、フック部材の通常状態の復帰が確実且つ迅速に行なわれ、しかも構造を簡単にすることができる。請求項７の発明は、前記ケーシングに２つの収納部が形成され、それぞれに前記転動部材が配置されることで、何らかの原因にて一つの転動部材が機能しなくても、残りの転動部材が作動してフック部材を揺動させることができ、より一層確実に地震発生に反応させ、引出の飛び出しを防止することができる。
【００１２】
次に、請求項８の発明は、前記ストッパ体は、ベース部の裏面側に固定フックと前記ベース部に対して平行な面を回転自在とした突起片と該突起片をベース部表面側から作動させる操作部が具備されたことにより、このストッパ体を装着する箇所に前記固定フック及び突起片を挿入する貫通孔状の部位を形成しておくことで、装着が簡単にでき、しかも正確に装着することができる。
【発明を実施するための最良の形態】
【００１３】
以下、本発明の実施形態を図面に基づいて説明する。まず、本発明の構成は、ラッチ体Ａとストッパ体Ｂとから構成される。そして、そのラッチ体Ａは、ケーシングＡ1 ，フック部材３，転動部材６及び保持部材５とから構成される。まず、第１実施形態のラッチ体Ａについて説明すると、そのケーシングＡ１は、図２，図３（Ａ）に示すように、前記収納筺部１及びフランジ部２とから構成されている。
【００１４】
その収納筺部１は、略直方体状に形成され、内室側は、略長方形状の開口を有する収納室１ｓとなっている。また、前記フランジ部２は、前記収納筺部１の開口側の外周より外方に突出するように形成されている。また、フランジ部２には、ビス等の固着具用の貫通孔２ａ，２ａが形成されている。そのフランジ部２は、具体的には、略楕円形状又は『０』字形状をなしている〔図２（Ａ），図４（Ａ）参照〕。そして、ラッチ体Ａは、そのフランジ部２の面方向を垂直面上に沿うようにして使用することになる〔図１（Ａ）参照〕。
【００１５】
そして、前記フランジ部２の面方向を垂直面上に沿った状態にしたときに、その収納筺部１の収納室１ｓを構成する下面部及び上面部がそれぞれ案内路面部１ａ，１ａとなる〔図２（Ａ），図３（Ａ），図５（Ａ）参照〕。また、その収納室１ｓの左右両壁面が内壁面部１ｂ，１ｂとなる。さらに、収納室１ｓのその奥に位置する側壁が奥壁面部１ｃである〔図４（Ｂ）参照〕。
【００１６】
その奥壁面部１ｃの左右方向の一方側には、後述する保持部材５の受部１ｄが形成されている。該受部１ｄは、前記奥壁面部１ｃより開口側に向かって膨出する膨出部に円形状の窪み，凹み又は穴が形成されたものであり、後述する保持部材５がコイルスプリングとした場合にそのコイルスプリングの長手方向一端が装着固定されるものである〔図２（Ａ）参照〕。
【００１７】
その受部１ｄの形状は、前記穴状の窪みとしたが、前記奥壁面部１ｃの表面から突出する突起形状として形成され、その突起形状とした受部１ｄを前記保持部材５であるコイルスプリングに差し込むようにして固定することができる構造としたものであってもかまわない。このように、前記受部１ｄは、その形状や構成が限定されるものではない。さらに、後述するフック部材３を揺動自在に枢支するための軸用孔が穿孔されている。
【００１８】
次に、フック部材３は、図２（Ｂ），図３（Ａ），図４（Ｃ），（Ｄ）等に示すように、揺動中心部３ａ，揺動腕部３ｂ，係止部３ｃ及び復帰用腕部３ｄとから構成されている。その揺動中心部３ａには、軸受け孔３ａ１が形成され、揺動中心軸４が挿通される。その揺動中心部３ａから前記揺動腕部３ｂが形成され、該揺動腕部３ｂの表面側３ｂ１且つ揺動自由端側（先端側）に係止部３ｃが形成されるものである。また、前記復帰用腕部３ｄは、前記揺動中心部３ａを中心にして前記揺動腕部３ｂが形成されている側とは略反対側に突出するように形成されている。
【００１９】
該復帰用腕部３ｄは、略平坦板状に形成されている。該復帰用腕部３ｄは、後述する保持部材５によって、常時外方側に弾性付勢されており、前記揺動腕部３ｂに形成された係止部３ｃが収納室１ｓ内に納まるようにする役目をなすものである。その復帰用腕部３ｄと前記揺動腕部３ｂとは、図４（Ｄ）に示すように、前記揺動中心部３ａ箇所で所定の角度を有して折曲状態に形成されている。具体的には、前記揺動腕部３ｂの表面側３ｂ１と、復帰用腕部３ｄの表面側３ｄ１とのなす角が出隅角となるように設定され、その揺動腕部３ｂの表面側３ｂ１の延長線に対して、前記復帰用腕部３ｄの表面側３ｄ１とのなす角は、約１５度となっている。
【００２０】
このように、前記揺動腕部３ｂと復帰用腕部３ｄとが所定の角度を有していることで、前記揺動腕部３ｂが収納室１ｓ内に収納状態としても、図２（Ｂ）に示すように、復帰用腕部３ｄが前記フランジ部２と略平行状態且つ略同一面に納めるようにすることができ、ラッチ体Ａを家具本体に装着した状態で、突出する部位を最小限にして、良好な装着状態とすることができる。さらに、前記復帰用腕部３ｄは、前記ケーシングＡ１の収納室１ｓ内に形成された揺動規制部に当接し、フック部材３の揺動範囲を規制し、前記係止部３ｃが突出しすぎないように、その突出量を適正に規制する役目もなしている。
【００２１】
そのフック部材３は、前記揺動中心部３ａが揺動中心となるようにして、図２（Ｂ）に示すように、前記ケーシングＡ１の収納筺部１の収納室１ｓ内に装着される。このとき、収納室１ｓに配置された前記揺動中心部３ａの軸受け孔３ａ１に、前記揺動中心軸４が挿通され、該揺動中心軸４が前記ケーシングＡ１の収納筺部１の収納室１ｓの案内路面部１ａ，１ａに形成された軸支孔１ｅ，１ｅに軸支されるものである〔図３（Ａ）参照〕。そして、前記揺動中心軸４を中心にして揺動中心部３ａが回動し、前記揺動腕部３ｂ及び復帰用腕部３ｄが揺動動作を行なうようになっている。
【００２２】
そして、その復帰用腕部３ｄと前記収納室１ｓの受部１ｄとの間には、前記保持部材５が配置され、前記復帰用腕部３ｄを収納室１ｓの外方側に向かって常時押圧するように弾性付勢している。その保持部材５は、具体的にはコイルスプリングが使用される〔図２（Ｂ），図３（Ａ）参照〕。また、その保持部材５は、上述の役目をするものであればコイルスプリングに限定されるものではなく、板バネ等のようにどのようなスプリングを使用してもかまわない。
【００２３】
前記転動部材６は、前記ケーシングＡ１の案内路面部１ａに沿って移動し、前記揺動腕部３ｂの裏面側３ｂ２において、前記揺動中心部３ａから揺動腕部３ｂの揺動自由端側に向かって移動することで、該揺動腕部３ｂを裏面側３ｂ２より押圧し、前記係止部３ｃを収納室１ｓの外方で且つ前記フランジ部２の表面から外方に突出させるものである。
【００２４】
この転動部材６の移動は、ラッチ体Ａが装着された家具本体１３が地震の発生によって揺れることにより行なわれるものである〔図６（Ａ）乃至（Ｃ）参照〕。その転動部材６は、球体を使用することが好適である。また、球体以外に円筒体が使用されることもある。その転動部材６は、金属製で比較的重量のあるものが、前記フック部材３の揺動腕部３ｂを揺動させるのに好ましいものである。
【００２５】
前記案内路面部１ａは、転動部材６がフック部材３を引込み状態にさせる方向に向かって下り傾斜に形成されている〔図５（Ａ）参照〕。すなわち、前記案内路面部１ａは、収納室１ｓ内に揺動自在に装着されたフック部材３に対して、その揺動腕部３ｂの揺動自由端側から揺動中心部３ａに向かって下り傾斜となる路面として形成されている。そして、平時は、前記転動部材６が前記案内路面部１ａの下り傾斜下方側に位置し、地震により引出が飛び出そうとする衝撃により、前記転動部材６がその慣性力により案内路面部１ａの傾斜を下方から上方に向かって移動し、前記フック部材３を揺動させて、ロック作動させる。
【００２６】
さらに、地震が終わると前記転動部材６は、前記案内路面部１ａの下り傾斜に沿って自然移動することにより、転動部材６が揺動腕部３ｂの裏面側の押圧状態を解除し、フック部材３の係止部３ｃが収納室１ｓ内に納まる引込状態にするものである。このような構成により、地震発生により、その揺れ又は衝撃によって、一旦，揺動腕部３ｂの揺動自由端側に向かって案内路面部１ａ上を移動した転動部材６は、その案内路面部１ａの下り傾斜路面に沿って揺動中心部３ａ側に転動し、収納室１ｓより外方に突出した係止部３ｃと共に前記揺動腕部３ｂを収納室１ｓ内に納めて引込状態となる。
【００２７】
また、前記奥壁面部１ｃは、前記案内路面部１ａの下り傾斜の下側に向うに従い次第に深くなるように傾斜面として形成されることが好ましい〔図２（Ａ），（Ｂ）及び図４（Ａ），（Ｂ）参照〕。これによって、地震が終わると共に、前記転動部材６が、地震の発生する前における前記ケーシングＡ１内の元の位置に戻ろうとする動作をより一層スムーズにすることができ、前記装置の復帰動作が確実に行われるものである（図５，図６参照）。
【００２８】
次に、ストッパ体Ｂは、図３に示すように、ベース部８，被係止部９，固定フック１０，ロック部１１及び操作部１２とから構成されている。前記ベース部８は、略長方形板状に形成されている。そのベース部８の表面側に被係止部９が形成されている。該被係止部９は、前記フック部材３の係止部３ｃと係止する部位である。具体的にはベース部８の長手方向の一端側で且つ表面側から突出するようにして形成されたものである。その被係止部９の被係止面は、前記ベース部８の長手方向及び表面に対して直角状面として形成されたものである。
【００２９】
そのベース部８の裏面側で且つその長手方向一端側に前記固定フック１０が形成され、長手方向の他端側にロック部１１が設けられている。その固定フック１０は、前記ベース部８の長手方向に対して略直角方向に突出条となるように形成されたものであり、その突出する先端には鉤形状片が形成されている。また、前記ロック部１１は、前記ベース部８の裏面側で回動自在とし、その回動操作は、ベース部８の表面側で操作部１２によって行なわれる。
【００３０】
前記ロック部１１は、略長方形板状に形成されたもので、前記操作部１２と連結している。該操作部１２は、撮み部１２ａと連結軸１２ｂとから構成され、該連結軸１２ｂが前記ベース部８を貫通して前記ロック部１１に連結している。前記ベース部８には、略切欠形状の貫通部８ａが形成されており、その貫通部８ａに前記操作部１２の連結軸１２ｂが貫通するようになっている。このとき、前記ベース部８の裏面側とロック部１１との間には隙間が設けられている。その隙間は、ストッパ体Ｂが装着される引出を構成する金属板の厚さに略等しく設定されている。前記撮み部１２ａの表面には、プラス又はマイナスドライバが使用できるドライバ用溝が形成されている。
【００３１】
次に、本発明におけるラッチ体Ａの第２実施形態を図７，図８に基づいて説明する。第２実施形態では、図７（Ｃ），図８に示すように、ケーシングＡ１の収納筺部１の２つの収納室１ｓが形成されている。そして、それぞれの収納室１ｓに転動部材６が入れられている。それぞれの収納室１ｓには、前述の案内路面部１ａが形成されている。具体的には、各収納室１ｓの上下方向両側面が案内路面部１ａ，１ａとして形成されている。
【００３２】
また、フック部材３は、略板状の揺動腕部３ｂが形成され、その板状の揺動腕部３ｂの下面側に２つのリブ状片３ｅ，３ｅが形成されている。該リブ状片３ｅ，３ｅは、略直角三角形状をなしている。そして揺動腕部３ｂの揺動自由端側に向かうに従い、そのリブ状片３ｅの斜辺部が次第に高さが高くなるように形成されている。その２つのリブ状片３ｅ，３ｅは、前記２つの収納室１ｓ，１ｓに対応して、該収納室１ｓに挿入するように構成されている〔図７（Ｂ）参照〕。
【００３３】
その収納室１ｓには、転動部材６が配置され、該転動部材６が回転移動することにより、該転動部材６が前記リブ状片３ｅに当接して、該リブ状片３ｅを介して前記揺動腕部３ｂを揺動させるものである。この第２実施形態では、揺動腕部３ｂの先端が係止部３ｃの役目をなすものであり、前記ストッパ体Ｂの被係止部９に係止する構造となっている。
【００３４】
本発明におけるラッチ体Ａとストッパ体Ｂは、食器棚，箪笥，キャビネット等の引出付き家具に装着されるものである〔図１（Ａ），（Ｂ）参照〕。まず前記ラッチ体Ａは、家具本体１３側に装着され、前記ストッパ体Ｂは、引出１４側に装着される。具体的には、前記ラッチ体Ａは、家具本体１３の両本体側板１３ａ，１３ａの内面側で、且つ前記引出１４の両側板１４ａ，１４ａに対応する位置に装着される〔図１（Ｂ）参照〕。
【００３５】
そのラッチ体Ａの装着では、前記ケーシングＡ１ を埋め込む窪みが前記本体側板１３ａに形成される。また、前記ストッパ体Ｂは、前記固定フック１０が引出１４の側板１４ａに形成された貫通孔に挿入され、他方側のロック部１１が別の貫通孔に挿入され、ベース部８の表面側に位置する操作部１２を回転させることによって、ロック部１１が側板１４ａに係止される〔図１（Ｂ）参照〕。
【００３６】
次に、本発明の地震発生時における作動状態を説明する。まず、地震発生直前では、ラッチ体Ａのフック部材３の係止部３ｃは収納室１ｓに納まった状態である〔図６（Ａ）参照〕。次に、地震が発生すると、家具本体１３が揺れて、ラッチ体Ａ内部の転動部材６がその揺れによって移動し、フック部材３の揺動腕部３ｂを押し上げる。これによってフック部材３が収納室１ｓより飛び出す。また、引出１４は、地震発生の揺れによって飛び出しを開始している〔図６（Ｂ）参照〕。その引出１４がさらに飛び出すと、該引出１４側に装着されたストッパ体Ｂの被係止部９がラッチ体Ａの係止部３ｃと係止し、引出１４がそれ以上、飛び出すことを防止できるものである〔図６（Ｃ）参照〕。
【００３７】
また、地震が終了すると、前記転動部材６は、前記案内路面部１ａの下り傾斜に沿って自然移動し、前記フック部材３の係止部３ｃは、収納室１ｓ内に引込み、前記ストッパ体Ｂの被係止部９と、前記ラッチ体Ａの係止部３ｃとの係止が解除され、前記引出１４は、通常の動作を行うことができる。
【図面の簡単な説明】
【００３８】
【図１】（Ａ）は本発明を家具に装着した状態を示す一部切除した斜視図、（Ｂ）は（Ａ）の要部の横断平面図である。
【図２】（Ａ）は本発明の平面図、（Ｂ）は（Ａ）のＸ１ −Ｘ１ 矢視断面図、（Ｃ）はストッパ体の平面図、（Ｄ）は（Ｃ）のＸ２−Ｘ２矢視断面図である。
【図３】（Ａ）はラッチ体の分解斜視図、（Ｂ）はストッパ体の斜視図、（Ｃ）はラッチ体の斜視図である。
【図４】（Ａ）はケーシングの平面図、（Ｂ）は（Ａ）のＸ３ −Ｘ３ 矢視断面図、（Ｃ）はフック部材の平面図、（Ｄ）は（Ｃ）のＸ４−Ｘ４矢視断面図である。
【図５】（Ａ）は図４（Ｂ）のＸ５−Ｘ５ 矢視断面拡大図、（Ｂ）はフック部材がケーシング内に引込み状態の断面図、（Ｃ）はフック部材がケーシング内に突出状態の断面図である。
【図６】（Ａ）は引出に装着されたラッチ体の地震発生直前における状態を示す作用図、（Ｂ）は地震が発生により引出が飛び出してラッチ体の揺動腕部が押し上げられた状態の作用図、（Ｃ）は引出がさらに飛び出してストッパ体の被係止部にラッチ体の係止部が係止した状態を示す作用図である。
【図７】（Ａ）は本発明の第２実施形態の平面図、（Ｂ）は（Ａ）のＸ６ −Ｘ６ 矢視断面図、（Ｃ）は（Ａ）のＸ７−Ｘ７ 矢視断面図、（Ｄ）はフック部材がケーシングから突出した状態の断面図である。
【図８】（Ａ）は図７（Ｂ）のＸ８ −Ｘ８ 矢視断面図である。
【図９】（Ａ）は本発明の第２実施形態の分解断面図、（Ｂ）は（Ａ）の別の方向から見た分解断面図である。
【符号の説明】
【００３９】
Ａ…ラッチ体、Ａ１…ケーシング、Ｂ…ストッパ体、１ａ…案内路面部、
３…フック部材、３ｃ…係止部、６…転動部材、５…保持部材、８…ベース部、
１０…固定フック、１１…ロック部、１２…操作部。
【図１】
2007105405.tif 000003
【図２】
2007105405.tif 000004
【図３】
2007105405.tif 000005
【図４】
2007105405.tif 000006
【図５】
2007105405.tif 000007
【図６】
2007105405.tif 000008
【図７】
2007105405.tif 000009
【図８】
2007105405.tif 000010
【図９】
2007105405.tif 000011